(57)【要約】【課題】時間軸とチャンネル軸の２次元で配置された電子番組表において、使用者が所望する番組を探すために、画面を切り替えるか、もしくは、スクロールする必要があり、新聞のテレビ欄などと比較して一覧性が悪い。【解決手段】番組検索などで抽出された番組を含むチャンネルが隣接するようにチャンネルを並び替える事で、使用者が所望する番組の一覧性を高める。その際、ユーザー操作などにより使用者の所望する時刻が指定でき、その指定された時刻を含む抽出番組のみに注目して並び替えを行う。これにより、電子番組表で同時に表示可能なチャンネル数が少ない場合であっても、注目する時刻における所望の番組がより多く一覧可能となる。【選択図】図３
2009218760.tif 000002
【特許請求の範囲】
【請求項１】
時間軸とチャンネル軸を有する２次元マップ上に、番組情報を配置して表示する番組マップ表示手段と、
番組情報の中から特定の番組を抽出する第１の特定番組抽出手段と、
前記番組マップ表示手段で表示される番組マップ内の番組のうち、前記第１の特定番組抽出手段によって抽出された番組を、他とは区別して番組マップ内に表示する特定番組区別表示手段と、
特定の時刻を入力する特定時刻入力手段と、
前記特定時刻入力手段によって入力された特定時刻が、番組の開始時刻から終了時刻の間に含まれるような番組を、前記第１の特定番組抽出手段で抽出された番組から抽出する第２の特定番組抽出手段と、
前記特定番組区別表示手段で表示された番組マップ内において、前記第２の特定番組抽出手段で抽出された番組を含む全てのチャンネルを、チャンネル単位で隣接するように並び替えを行うチャンネル単位移動手段とを備える事を特徴とする電子番組表表示装置。
【請求項２】
前記特定時刻入力手段は、カーソルにより、前記特定番組区別表示手段で表示された番組マップ内の時間軸の特定時刻を指定することを特徴とする、請求項１に記載の電子番組表表示装置。
【請求項３】
時間軸とチャンネル軸を有する２次元マップ上に、番組情報を配置して表示する番組マップ表示手段と、
番組情報の中から特定の番組を抽出する第１の特定番組抽出手段と、
前記番組マップ表示手段で表示される番組マップ内の番組のうち、前記第１の特定番組抽出手段によって抽出された番組を、他とは区別して番組マップ内に表示する特定番組区別表示手段と、
特定の時間帯を入力する特定時間帯入力手段と、
前記特定時間帯入力手段によって入力された特定時間帯に、少なくとも番組の開始時刻もしくは終了時刻のどちらか一方が含まれるような番組を、前記第１の特定番組抽出手段で抽出された番組から抽出する第３の特定番組抽出手段と、
前記特定番組区別表示手段で表示された番組マップ内において、前記第３の特定番組抽出手段で抽出された番組を含む全てのチャンネルを、チャンネル単位で隣接するように並び替えを行うチャンネル単位移動手段とを備える事を特徴とする電子番組表表示装置。
【請求項４】
前記特定時間帯入力手段は、カーソルにより、前記特定番組区別表示手段で表示された番組マップ内の時間軸の特定時間帯を指定することを特徴とする、請求項３に記載の電子番組表表示装置。
【請求項５】
時間軸とチャンネル軸を有する２次元マップ上に、番組情報を配置して表示する番組マップ表示ステップと、
番組情報の中から特定の番組を抽出する第１の特定番組抽出ステップと、
前記番組マップ表示ステップで表示される番組マップ内の番組のうち、前記第１の特定番組抽出ステップによって抽出された番組を、他とは区別して番組マップ内に表示する特定番組区別表示ステップと、
特定の時刻を入力する特定時刻入力ステップと、
前記特定時刻入力ステップによって入力された特定時刻が、番組の開始時刻から終了時刻の間に含まれるような番組を、前記第１の特定番組抽出ステップで抽出された番組から抽出する第２の特定番組抽出ステップと、
前記特定番組区別表示ステップで表示された番組マップ内において、前記第２の特定番組抽出ステップで抽出された番組を含む全てのチャンネルを、チャンネル単位で隣接するように並び替えを行うチャンネル単位移動ステップとを有する事を特徴とする電子番組表表示方法。
【請求項６】
時間軸とチャンネル軸を有する２次元マップ上に、番組情報を配置して表示する番組マップ表示ステップと、
番組情報の中から特定の番組を抽出する第１の特定番組抽出ステップと、
前記番組マップ表示ステップで表示される番組マップ内の番組のうち、前記第１の特定番組抽出ステップによって抽出された番組を、他とは区別して番組マップ内に表示する特定番組区別表示ステップと、
特定の時間帯を入力する特定時間帯入力ステップと、
前記特定時間帯入力ステップによって入力された特定時間帯に、少なくとも番組の開始時刻もしくは終了時刻のどちらか一方が含まれるような番組を、前記第１の特定番組抽出ステップで抽出された番組から抽出する第３の特定番組抽出ステップと、
前記特定番組区別表示ステップで表示された番組マップ内において、前記第３の特定番組抽出ステップで抽出された番組を含む全てのチャンネルを、チャンネル単位で隣接するように並び替えを行うチャンネル単位移動ステップとを有する事を特徴とする電子番組表表示方法。
【発明の詳細な説明】
【技術分野】
【０００１】
本発明は、電子番組ガイド（ＥＰＧ）を特定の条件に従って表示順序を変更する電子番組表示装置及び方法に関する。
【背景技術】
【０００２】
テレビ放送における番組情報として、電子番組ガイド（ＥＰＧ）がある。特に近年のデジタルテレビ放送においては、その放送波によって電子番組ガイドが送信され、テレビや録画機器での電子番組表表示は一般的な機能となっている。テレビや録画機器での電子番組表は一般的に新聞や雑誌の番組表と同様に、図１のような時間軸とチャンネル軸との２次元表示形式である。この電子番組表表示における問題点の一つとして、その表示範囲の狭さがある。つまり、新聞や雑誌などが同一ページで表示可能なチャンネル数に比べると、テレビや録画機器では表示面積や可読可能な文字サイズに制限があるため、一度に表示可能な番組数が少なく、所望の日時またはチャンネルを表示するには画面を切り替えたり、スクロールさせたりする必要がある。上述した問題を解決し、視聴者が所望する番組を容易に確認可能にするために、特許文献１では、図２（ａ）のように、検索条件に合致した番組を多く含む順に、時間軸やチャンネル軸ごとに並べる事が提案されている（斜線の領域が条件に合致した番組を示す）。
【特許文献１】特開２００２−３６９０９３号公報
【発明の開示】
【発明が解決しようとする課題】
【０００３】
しかしながら、特許文献１の方法では、例えば、図２（ａ）に表示されていないチャンネルＦの１１時台に検索条件に合致した番組が存在した場合、その番組を表示させるためには図２（ｂ）のようにチャンネル軸方向に画面を切り替えるかまたはスクロールしなければ該当番組は表示されない。
【課題を解決するための手段】
【０００４】
上記課題を解決するために、本発明による電子番組表表示装置では、時間軸とチャンネル軸を有する２次元マップ上に、番組情報を配置して表示する番組マップ表示手段と、番組情報の中から特定の番組を抽出する第１の特定番組抽出手段と、番組マップ表示手段で表示される番組マップ内の番組のうち、第１の特定番組抽出手段によって抽出された番組を、他とは区別して番組マップ内に表示する特定番組区別表示手段と、特定の時刻を入力する特定時刻入力手段と、特定時刻入力手段によって入力された特定時刻が、番組の開始時刻から終了時刻の間に含まれるような番組を、第１の特定番組抽出手段で抽出された番組から抽出する第２の特定番組抽出手段と、番組マップ表示手段および前記特定番組区別表示手段で表示された番組マップ内において、第２の特定番組抽出手段で抽出された番組を含む全てのチャンネルを、チャンネル単位で隣接するように並び替えを行うチャンネル単位移動手段とを備える事を特徴とする。
【０００５】
さらに、時間軸とチャンネル軸を有する２次元マップ上に、番組情報を配置して表示する番組マップ表示手段と、番組情報の中から特定の番組を抽出する第１の特定番組抽出手段と、番組マップ表示手段で表示される番組マップ内の番組のうち、第１の特定番組抽出手段によって抽出された番組を、他とは区別して番組マップ内に表示する特定番組区別表示手段と、特定の時間帯を入力する特定時間帯入力手段と、特定時間帯入力手段によって入力された特定時間帯に、少なくとも番組の開始時刻もしくは終了時刻のどちらか一方が含まれるような番組を、第１の特定番組抽出手段で抽出された番組から抽出する第３の特定番組抽出手段と、番組マップ表示手段および特定番組区別表示手段で表示された番組マップ内において、第３の特定番組抽出手段で抽出された番組を含む全てのチャンネルを、チャンネル単位で隣接するように並び替えを行うチャンネル単位移動手段とを備える事を特徴とする。
【発明の効果】
【０００６】
本発明によれば、第１の特定番組抽出手段によって抽出された番組のうち、特定時刻入力手段もしくは特定時間帯入力手段によって入力された特定時刻もしくは特定時間帯に該当する番組が必ず隣接して表示され、特定時刻における抽出番組の一覧性に優れる。
【発明を実施するための最良の形態】
【０００７】
（実施の形態１）
以下、本発明の電子番組表表示装置及び方法の第１の実施形態について図面を参照して
説明する。図３は、本発明の第１の実施の形態におけるブロック構成図である。番組情報
入力手段３０１によって入力された番組情報は、第１の特定番組抽出手段３０２に対して
出力される。ここで、番組情報とは、少なくとも番組が放送されるチャンネルと、番組の
開始時刻と、番組の終了時刻もしくは放送時間長を含む、1つ以上の番組の情報を意味する。
なお、一般に番組情報には、上記の項目のほか、番組タイトルおよび番組説明などの情報
が含まれる。
【０００８】
第１の特定番組抽出手段３０２では特定の条件に合致した番組が抽出され、その結果は第１の特定番組情報として出力される。ここで、第１の特定番組抽出手段３０２における抽出は、例えば、使用者によって入力されたキーワードを含む番組の検索でも良いし、特開２０００−２５３３２５号公報に記載のあるような、使用者の操作履歴に基づくおすすめ番組の抽出でも良く、本発明においてはその方法は問わない。
【０００９】
第１の特定番組情報は特定番組区別表示手段３０３に入力される。特定番組区別表示手段３０３は、番組マップ表示手段３０４に対して、第１の特定番組情報に含まれる番組を、その他の番組と区別した表示を行うような指示を特定番組区別表示情報として送信する。番組マップ表示手段３０４は、時間軸とチャンネル軸を有する２次元マップ上に番組情報を配置して表示し、特定番組区別表示情報によって指示された通り、特定の番組を他の番組と区別できるような表示を行う。ここで、他の番組と区別できるような表示方法として、例えば、特定番組の番組枠を特定の色の線で囲っても良いし、または、特定番組の番組枠内を特定の色で塗りつぶしても良く、本発明においてはその方法は問わない。
【００１０】
一方、特定時刻入力手段３０５により入力された特定時刻情報は、第２の特定番組抽出手段３０６に対して出力される。ここで、特定時刻入力手段３０５における特定時刻の入力方法として、例えば、リモコン、マウス、または、キーボード等により使用者が指定する方法でも良いし、または、番組マップ表示手段３０４によって現在表示されている番組マップの表示領域の先頭の時刻、最後の時刻、または、その中間の時刻等、自動的に算出する方法でも良く、本発明においてはその方法は問わない。
【００１１】
第２の特定番組抽出手段３０６は、特定時刻情報と第１の特定番組抽出手段３０２から出力される第１の特定番組情報を入力し、第１の特定時刻情報が示す特定時刻が、番組開始時刻と番組終了時刻の間に含まれる番組を第１の特定番組情報に含まれる番組の中から抽出する。抽出された番組は、第２の特定番組情報としてチャンネル単位移動手段３０７に対し出力される。
【００１２】
ここで、第２の特定番組抽出手段３０６における処理の流れの一例を図６のフローチャートを用いて説明する。まず、ステップ６０１において、第２の特定番組抽出ステップ３０６に入力される第１の特定番組情報をＰ１［ｉ］（ｉ＝１〜Ｎ１；  Ｎ１は第１の特定番組情報に含まれる番組の数）とし、Ｐ１［ｉ］．ｃｈ、Ｐ１［ｉ］．ｓｔ、Ｐ１［ｉ］．ｅｔ、および、Ｐ１［ｉ］．ｐｔをそれぞれ、番組Ｐ１［ｉ］のチャンネル情報、開始時刻情報、終了時刻情報、および、点数情報とする。また、ステップ６０２において入力される特定時刻情報をＴとする。入力された全ての番組情報Ｐ１［ｉ］に対し、ステップ６０４において、（Ｐ１［ｉ］．ｓｔ≦Ｔ）ＡＮＤ（Ｔ≦Ｐ１［ｉ］．ｅｔ）の判定処理を行う（ステップ６０３〜６０６）。この判定が真（Ｔｒｕｅ）の場合、ステップ６０５において、該当Ｐ１［ｉ］を第２の特定番組情報Ｐ２［ｊ］として出力する。
【００１３】
チャンネル単位移動手段３０７は、第２の特定番組情報を入力すると、第２の特定番組情報内の特定番組を含んだチャンネルを隣接表示させるために、番組マップ内のチャンネル表示順を変更するようチャンネル単位移動情報を番組マップ表示手段３０４に出力する。ここで、隣接させたチャンネル間での表示順の決定方法については、例えば、チャンネル番号の昇順に並べても良いし、第１の特定番組手段３０２において抽出された各特定番組に対して抽出判断に使用された点数を利用し、より高い点数の番組を含むチャンネルを、より左に配置するよう並べても良く、本発明においてはその方法は問わない。
【００１４】
チャンネル単位移動手段３０７における処理の一例の流れを図７のフローチャートを用いて説明する。まず、ステップ７０１において、チャンネル単位移動ステップ３０７に入力される第２の特定番組情報をＰ２［ｊ］（ｊ＝１〜Ｎ２；  Ｎ２は第２の特定番組情報に含まれる番組の数）とし、Ｐ２［ｊ］．ｃｈ、Ｐ２［ｊ］．ｓｔ、Ｐ２［ｊ］．ｅｔ、および、Ｐ２［ｊ］．ｐｔをそれぞれ、番組Ｐ２［ｊ］のチャンネル情報、開始時刻情報、終了時刻情報、および、点数情報とする。ここで、点数情報とは、第１の特定番組ステップ３０２において抽出された各特定番組に対して抽出判断に使用された点数の情報である。ステップ７０２では、入力された番組情報Ｐ２［ｊ］を、点数情報Ｐ２［ｊ］．ｐｔを用いて、その点数の高い順にソートを行う。ステップ７０３では、ソートされた番組情報Ｐ２［ｊ］をチャンネル単位移動情報として番組マップ表示ステップ３０４に出力する。ここで、チャンネル単位移動情報として出力する情報として、例えば、チャンネル情報Ｐ２［ｊ］．ｃｈのみを取り出しても構わない。
【００１５】
番組マップ表示手段３０４は、入力したチャンネル単位移動情報に従って、各チャンネルの表示順序を変更して表示する。
【００１６】
図４は、上記第１の実施形態による番組マップ表示結果の一例である。図４（ａ）は特定時刻入力手段３０５において特定時刻が入力される前の状態であり、チャンネル番号順に並んでいる。なお、図４において、斜線で塗りつぶされた番組は、第１の特定番組抽出手段３０２によって抽出された番組である事を示している。この状態から、特定時刻入力手段３０５において特定時刻として９：１５が指定された（破線の位置）結果が図４（ｂ）である。この例では、番組Ａ−９、番組Ｄ−９および番組Ｇ−９が第２の特定番組抽出手段３０６で抽出された第２の特定番組に該当し、その結果、チャンネルＡ、チャンネルＤおよびチャンネルＧが隣接して番組表左側に表示される。さらに、特定時刻入力手段３０５において特定時刻として１１：１５が指定された結果が図４（ｃ）である。図４（ｃ）では、番組Ｆ−１１および番組Ｇ−１１が第２の特定番組であり、チャンネルＦおよびチャンネルＧが隣接して番組表左側に表示される。
【００１７】
このように、本発明における電子番組表表示装置では、使用者が番組表全体の画面切り替えやスクロールを行って所望の番組を探す必要が無く、時刻指定をするだけで自動的に所望の番組を含むチャンネルが隣接して表示される。
【００１８】
（実施の形態２）
以下、本発明の電子番組表表示装置及び方法の第２の実施形態について図面を参照して説明する。図５は、本発明の第２の実施の形態におけるブロック構成図である。本発明の第１の実施の形態においては、チャンネルの表示順を変更するために特定時刻入力手段３０５により特定の時刻を入力するのに対し、本発明の第２の実施の形態では、特定時間帯入力手段５０１により特定の時間帯を入力し、特定時間帯情報として出力する。ここで、特定時間帯入力手段５０１における特定時間帯の入力方法として、リモコン、マウス、または、キーボード等により使用者が特定の開始時刻および特定の終了時刻を指定する方法でも良いし、または、番組マップ表示手段３０４によって現在表示されている番組マップの表示領域すべての時間帯を自動的に選択する方法でも良く、本発明においてはその方法は問わない。
【００１９】
第３の特定番組抽出手段５０２は、特定時間帯情報と第１の特定番組抽出手段３０２から出力される第１の特定番組情報を入力し、第１の特定番組情報に含まれる番組のうち、番組の開始時刻から終了時刻までの放送時間の少なくとも一部が特定時間帯に含まれるような番組を抽出する。抽出された番組は、第３の特定番組情報としてチャンネル単位移動手段３０７に対し出力される。
【００２０】
ここで、第３の特定番組抽出手段５０２における処理の流れの一例を図８のフローチャートを用いて説明する。まず、ステップ８０１において、第３の特定番組抽出ステップ５０２に入力される第１の特定番組情報をＰ１［ｉ］（ｉ＝１〜Ｎ１；  Ｎ１は第１の特定番組情報に含まれる番組の数）とし、Ｐ１［ｉ］．ｃｈ、Ｐ１［ｉ］．ｓｔ、Ｐ１［ｉ］．ｅｔ、および、Ｐ１［ｉ］．ｐｔをそれぞれ、番組Ｐ１［ｉ］のチャンネル情報、開始時刻情報、終了時刻情報、および、点数情報とする。また、ステップ８０２において入力される特定時間帯情報の開始時刻、および、終了時刻をそれぞれ、Ｔ．ｓｔ、および、Ｔ．ｅｔとする。入力された全ての番組情報Ｐ１［ｉ］に対し、ステップ８０４において、（（Ｔ．ｓｔ≦Ｐ１［ｉ］．ｓｔ）ＡＮＤ（Ｐ１［ｉ］．ｓｔ＜Ｔ．ｅｔ））ＯＲ（（Ｔ．ｓｔ＜Ｐ１［ｉ］．ｅｔ）ＡＮＤ（Ｐ１［ｉ］．ｅｔ≦Ｔ．ｅｔ））ＯＲ（Ｐ１［ｉ］．ｓｔ≦Ｔ．ｓｔ）ＡＮＤ（Ｔ．ｅｔ≦Ｐ１［ｉ］．ｅｔ））の判定処理を行う（ステップ８０３〜８０６）。この判定処理の式は一例であり、番組の開始時刻から終了時刻までの放送時間の少なくとも一部が特定時間帯に含まれるような番組を抽出できればその方法は問わない。この判定が真（Ｔｒｕｅ）の場合、ステップ８０５において、該当Ｐ１［ｉ］を第３の特定番組情報Ｐ３［ｊ］として出力する。
【００２１】
チャンネル単位移動手段３０７は、第３の特定番組情報を入力すると、第３の特定番組情報内の特定番組を含んだチャンネルを隣接表示させるために、番組マップ内のチャンネル表示順を変更するようチャンネル単位移動情報を番組マップ表示手段３０４に出力する。ここで、隣接させたチャンネル間での表示順の決定方法については、第１の実施形態で記載した内容と同じく、本発明においてはその方法は問わない。
【産業上の利用可能性】
【００２２】
本発明にかかる電子番組表表示装置は、使用者が所望する番組、もしくは、使用者の使用履歴を基にシステムが推薦する番組などの特定条件に合致する番組を電子番組表で確認する場合において、使用者が特定の時刻もしくは時間帯を指定する事で、例えば、現在放送中の番組の中で特定の条件に合致する番組をまとめて確認できるため有用である。
【図面の簡単な説明】
【００２３】
【図１】一般的な電子番組表の一例を示す図
【図２】電子番組表における従来の番組表の並び替え例を示す図
【図３】本発明の第１の実施の形態における電子番組表表示装置の構成例を示すブロック図
【図４】本発明の第１の実施の形態における電子番組表の並び替え例を示す図
【図５】本発明の第２の実施の形態における電子番組表表示装置の構成例を示すブロック図
【図６】本発明の第１の実施の形態における電子番組表表示装置の第２の特定番組抽出ステップの処理例を示すフローチャート
【図７】本発明の第１の実施の形態における電子番組表表示装置の特定時間帯入力ステップの処理例を示すフローチャート
【図８】本発明の第２の実施の形態における電子番組表表示装置の第３の特定番組抽出ステップの処理例を示すフローチャート
【符号の説明】
【００２４】
３０１    番組情報入力手段
３０２    第１の特定番組抽出手段
３０３    特定番組区別手段
３０４    番組マップ表示手段
３０５    特定時刻入力手段
３０６    第２の特定番組抽出手段
３０７    チャンネル単位移動手段
５０１    特定時間帯入力手段
５０２    第３の特定番組抽出手段
【図１】
2009218760.tif 000003
【図２】
2009218760.tif 000004
【図３】
2009218760.tif 000005
【図４】
2009218760.tif 000006
【図５】
2009218760.tif 000007
【図６】
2009218760.tif 000008
【図７】
2009218760.tif 000009
【図８】
2009218760.tif 000010